(57)【要約】      （修正有）【課題】携帯時及び保管時にもかさ張らず、携帯性（保管性）及び取扱性を高め、さらに装身性及び防寒性を高めるとともに、ネックレスとしての機能を付加してファッション性をより高める首飾襟巻を提供する。【解決手段】細長い袋材に充填材を充填することにより首の周りに装身可能な襟巻本体Ｕｍを備える首飾襟巻を構成するに際して、繊維質素材により形成した細長いチューブ状生地の両端３ｓｘ…又はこの両端３ｓｘ…より所定長さだけ内側に位置する内側部位３ｓｉ…を所定の封止手段４ｓ…により封止した外装材３の内部に、２０〜４０重量パーセントの絹と６０〜８０重量パーセントの羊毛を混合した充填材を充填した襟巻本体Ｕｍと、この襟巻本体Ｕｍの長手方向における二位置を繋止可能な繋止具とを具備する。【選択図】図１
0003194712.tif 000002
【実用新案登録請求の範囲】
【請求項１】
細長い袋材に充填材を充填することにより首の周りに装身可能な襟巻本体を備える首飾襟巻であって、繊維質素材により形成した細長いチューブ状生地の両端又はこの両端より所定長さだけ内側に位置する内側部位を所定の封止手段により封止した外装材の内部に、２０〜４０重量パーセントの絹と６０〜８０重量パーセントの羊毛を混合した充填材を充填した襟巻本体と、この襟巻本体の長手方向における二位置を繋止可能な繋止具とを具備してなることを特徴とする首飾襟巻。
【請求項２】
前記充填材には、少なくとも木材のエキスを含む少なくとも消臭性及び／又は殺菌性を有する添加材，及び／又は保温性を向上させる添加材，を噴霧し又は混合してなることを特徴とする請求項１記載の首飾襟巻。
【考案の詳細な説明】
【技術分野】
【０００１】
本考案は、細長いの袋材に充填材を充填することにより首の周りに装身可能な首飾襟巻に関する。
【背景技術】
【０００２】
一般に、シート状の織物として製作され、首に巻くことにより防寒を図るマフラーは広く知られており、この種の一般的かつ汎用的なマフラーとしては、特許文献１，２等で開示されている。一方、このような一般的かつ汎用的なマフラーとは異なり、その形態性や機能性等を異ならせたユニークなマフラーも提案されている。
【０００３】
従来、このようなユニークなマフラーとしては、特許文献３で開示される立体マフラー及び特許文献４で開示される首巻き空気チューブが知られている。特許文献３で開示される立体マフラーは、首まわりを保温し、ファッション性を豊かにすることを目的としたものであり、具体的には、保温材を内装した袋体に係止部を設けて構成したものである。また、特許文献４で開示される首巻き空気チューブは、首廻りの防寒効果を高めることを目的とし、具体的には、チューブを馬蹄状の形とし、首に巻く若しくは掛けるものとし、チューブ内に空気を充填して構成することにより、マフラーと併用し、又はチューブの外面を保温材で被ってマフラーを用いなくても防寒具としての機能を有するようにしたものである。
【先行技術文献】
【特許文献】
【０００４】
【特許文献１】実用新案登録第３０９６１８０号公報
【特許文献２】実用新案登録第３１０７６０６号公報
【特許文献３】特開平８−１００３１３号公報
【特許文献４】特開２００３−３３１１号公報
【考案の概要】
【考案が解決しようとする課題】
【０００５】
しかし、上述した従来のマフラー（襟巻）は、次のような問題点があった。
【０００６】
第一に、全体がかさ張る形態（形状及び構成）のため、携帯性（保管性）に難があり、しかも、取扱性や装身性にも難がある。また、充填材も公知の断熱性素材をそのまま使用するに留まるため、防寒性や機能性においても難があるなど、本来のマフラーとしての取扱性，携帯性（保管性），防寒性に対しては、必ずしも十分に考慮されているとはいえず、更なる改善の余地があった。
【０００７】
第二に、女性などが首に装身するため、ファッション性も重要な要素となるが、必ずしもファッション性を高めるための付加価値を考慮しているとはいえず、ファッション性を高める観点からも更なる改善の余地があった。即ち、表面上の模様（イラスト）や色を考慮するに留まり、首の周辺を飾るという、いわばネックレスとして機能を付加するには至っていない。
【０００８】
本考案は、このような背景技術に存在する課題を解決した首飾襟巻の提供を目的とするものである。
【課題を解決するための手段】
【０００９】
本考案に係る首飾襟巻１は、上述した課題を解決するため、細長い袋材に充填材を充填することにより首Ｈｎの周りに装身可能な襟巻本体Ｕｍを備える首飾襟巻を構成するに際して、繊維質素材Ｒにより形成した細長いチューブ状生地３ｓの両端３ｓｘ，３ｓｘ又はこの両端３ｓｘ，３ｓｘより所定長さだけ内側に位置する内側部位３ｓｉ，３ｓｉを所定の封止手段４ｓ，４ｓにより封止した外装材３の内部に、２０〜４０重量パーセントの絹Ｓｉと６０〜８０重量パーセントの羊毛Ｗｏを混合した充填材２を充填した襟巻本体Ｕｍと、この襟巻本体Ｕｍの長手方向における二位置を繋止可能な繋止具Ｕｓとを具備してなることを特徴とする。
【００１０】
この場合、考案の好適な態様により、充填材２には、少なくとも木材のエキスＬｗを含む少なくとも消臭性及び／又は殺菌性を有する添加材Ｌ，及び／又は保温性を向上させる添加材Ｌ，を噴霧し又は混合することができる。
【考案の効果】
【００１１】
このような構成を有する本考案に係る首飾襟巻１によれば、次のような顕著な効果を奏する。
【００１２】
（１）  襟巻本体Ｕｍは、細長いチューブ状生地３ｓ（外装材３）の内部に充填材２を充填してなるため、長手方向における全体の径が同一の丸棒状となり、容易に折り畳むことができる。したがって、携帯時及び保管時にもかさ張らず、携帯性及び保管性、更には取扱性に優れる。
【００１３】
（２）  襟巻本体Ｕｍは、外装材３の内部に、２０〜４０重量パーセントの絹Ｓｉと６０〜８０重量パーセントの羊毛Ｗｏを混合した充填材２を充填してなるため、防寒性や機能性に優れる。特に、絹Ｓｉの延びる性質と羊毛Ｗｏの縮む性質が組合わさることにより外装材３の内部では動き（片寄り）にくく、かつ適度な弾性及び弾性復帰性により装身性に優れるとともに、防寒性にも優れる。
【００１４】
（３）  首飾襟巻１は、細長いチューブ状生地３ｓ（外装材３）の内部に充填材２を充填してなる襟巻本体Ｕｍと、この襟巻本体Ｕｍの長手方向における二位置を繋止可能な繋止具Ｕｓとを具備してなるため、首の周辺を飾るという、いわばネックレスとして機能を付加することができ、ファッション性をより高めることができる。
【００１５】
（４）  首飾襟巻１は、細長いチューブ状生地３ｓの端３ｓｘから充填材２を充填し、このチューブ状生地３ｓの両端３ｓｘ…又はこの両端３ｓｘ…より所定長さだけ内側に位置する内側部位２ｓｉ…を所定の封止手段４ｓ…により封止することにより、襟巻本体Ｕｍを製造できるため、容易に製造できるとともに、量産性にも優れる。
【００１６】
（５）  好適な態様により、充填材２に、少なくとも木材のエキスＬｗを含む少なくとも消臭性及び／又は殺菌性を有する添加材Ｌを噴霧し又は混合すれば、首周辺における消臭効果や殺菌効果により襟巻としての機能性及び商品性、即ち、付加価値をより高めることができる。また、保温性を向上させる添加材Ｌ（セラミックス等の遠赤外線放出素材等）を混合すれば、更なる保温性向上機能を付加することができる。
【図面の簡単な説明】
【００１７】
【図１】本考案の好適実施形態に係る首飾襟巻の外観斜視図、
【図２】同首飾襟巻の一部拡大抽出図を含む正面断面図、
【図３】同首飾襟巻の製造方法を説明するための製造工程図、
【図４】同首飾襟巻の製造方法を説明するための説明用模式図、
【図５】同首飾襟巻における襟巻本体の（ａ）正面図及び（ｂ）右側面図、
【図６】同首飾襟巻の使用説明図、
【考案を実施するための形態】
【００１８】
次に、本考案に係る好適実施形態を挙げ、図面に基づき詳細に説明する。
【００１９】
まず、本実施形態に係る首飾襟巻１の構成について、図１，図２及び図５を参照して説明する。
【００２０】
首飾襟巻１は、図２に示すように、繊維質素材Ｒ、例えば、比較的薄く、かつ肌触りの良好な人絹織物により製作した細長いチューブ状生地３ｓの両端３ｓｘ，３ｓｘより所定長さだけ内側に位置する内側部位３ｓｉ，３ｓｉを封止具４ｓｃ，４ｓｃ（封止手段４ｓ，４ｓ）により封止した外装材３の内部に、３０重量パーセントの絹Ｓｉと７０重量パーセントの羊毛Ｗｏを混合した充填材２を充填した襟巻本体Ｕｍと、この襟巻本体Ｕｍの長手方向における二位置を繋止可能な繋止リングＵｓｒ（繋止具Ｕｓ）との組合わせにより構成する。
【００２１】
この場合、外装材３の表面は、様々な色彩や模様などを付すことにより、装飾性及びファッション性を考慮したデザインを施すことができる。また、外装材３は、細長いチューブ状生地３ｓの両端３ｓｘ，３ｓｘより所定長さだけ内側に位置する内側部位３ｓｉ，３ｓｉを封止具４ｓｃ，４ｓｃにより封止するため、封止具４ｓｃ，４ｓｃから外方に延出する部分は、装飾部５ｘ，５ｘとして利用する。例示の装飾部５ｘ，５ｘは、チューブ状生地３ｓの一部をそのまま残した状態の最も単純な形態であるが、必要により、カッティング（切込み）を施したり、色彩や模様を変更したり、或いは宝石等の他の小物類を取付けるなどにより構成できる。
【００２２】
充填材２には、少なくとも消臭性及び／又は殺菌性を有する添加材Ｌを噴霧し又は混合することができる。この添加材Ｌには、木材、特にカナダ杉のエキスＬｗを用いることが望ましい。これにより、首周辺における消臭効果や殺菌効果により襟巻としての機能性及び商品性、即ち、付加価値をより高めることができる。このような消臭性や殺菌性を有する添加材Ｌとして、各種木酢も利用可能である。一方、添加材Ｌとしては、保温性を向上させる添加材Ｌを用いてもよい。このような保温性を向上させる添加材Ｌとしては、セラミックス等の遠赤外線放出素材を原料とする粉末材料を利用できる。このような遠赤外線放出素材（添加材Ｌ）を用いれば、遠赤外線による保温性向上機能等を付加することができる。しかも、比較的身近な原料を利用できるため、容易かつ的確に実施できるとともに、低コスト（廉価）に実施できる。なお、遠赤外線放出素材を粉末状に生成し、上述したエキスＬｗと一緒に充填材２の中に付着させてもよい。
【００２３】
絹Ｓｉと羊毛Ｗｏの最適な混合比率は、上述したように、絹Ｓｉを３０重量パーセント及び羊毛Ｗｏを７０重量パーセントの比率に選定することが最適な効果を得る条件となるが、それぞれ前後１０重量パーセント程度変化させても、前述した効果はある程度得ることができる。しかし、両者の比率をそれぞれ５０重量パーセントとした場合や一方の量を極端に多くした場合には前述した効果に対する有意性は認められなくなる。
【００２４】
繋止リングＵｓｒは、任意の形態を利用でき、例えば、最もシンプルな金色リングや銀色リング等を用いてもよいし、或いは筒形のリング等であってもよい。特に、このような繋止リングＵｓｒは、複数種類の繋止リングＵｓｒ…を用意し、好みや目的などに応じて選んで使用することができる。
【００２５】
次に、本実施形態に係る首飾襟巻１の製造方法について、図１，図２，図４及び図５を参照しつつ図３に示す製造工程図に従って説明する。
【００２６】
まず、充填材２の材料となる絹Ｓｉと羊毛Ｗｏを用意する（工程Ｓ１）。そして、絹Ｓｉ：羊毛Ｗｏが、３０重量パーセント：７０重量パーセントの比率になるように選定して絹Ｓｉと羊毛Ｗｏを均一に混合する（工程Ｓ２，Ｓ３）。この場合、例えば、羊毛Ｗｏを平坦に広げ、その上に絹Ｓｉを満遍に載せるとともに、製綿機にセットし、この製綿機を用いて所定の製綿処理を行うことにより羊毛Ｗｏと絹Ｓｉを均一に混合させた厚さが１〔ｃｍ〕程度となるシート状の綿（充填材２）を製造することができる。
【００２７】
また、得られたシート状の綿は、予め選定した所定の大きさにカッティングすることにより短冊形のシート材２ｍを製作する（工程Ｓ４）。このシート材２ｍを図４（ａ）に示す。さらに、シート材２ｍが得られたなら、同図（ａ）に示すように、シート材２ｍの表面に添加材Ｌを噴霧し又は混合する（工程Ｓ５）。例示は、スプレーを利用してカナダ杉のエキスＬｗを吹き付ける場合を示している。
【００２８】
次いで、シート材２ｍを、図４（ｂ）に示すように、ロール状に巻いてロール材２ｍを製作する（工程Ｓ６）。この場合、シート材２ｍの短辺側を２回（２ターン）ほど巻いて製作する。したがって、２回ほど巻けるように、予めシート材２ｍにおける短辺側の寸法を選定する。一方、図４（ｃ）に示す挿入筒治具Ｍｍを用意し、この挿入筒治具Ｍｍの中にロール材２ｍを挿入する（工程Ｓ７）。この場合、挿入筒治具Ｍｍには、プラスチック素材又は金属素材を利用した剛性の高いパイプ部材を用いる。また、挿入筒治具Ｍｍにロール材２ｍを挿入する際には、ロール材２ｍを捻りながら挿入することが望ましい。これにより、挿入が容易になるとともに、挿入した後の充填材２（ロール材２ｍ）の片寄りを防止することができる。
【００２９】
他方、図４（ｄ）に示すチューブ状生地３ｓを製作して用意する（工程Ｓ８）。チューブ状生地３ｓは、例えば、予め製造した連続する細長いチューブ状材料を、予め選定した所定の長さにカッティングして得ることができる。そして、得られたチューブ状生地３ｓは、一端３ｓｘより所定長さだけ内側に位置する内側部位３ｓｉを封止具４ｓｃにより封止し、かつ他端３ｓｘはそのまま開放状態にする。例示の場合、図２に示すように中心に貫通孔１１を有する球形に形成した封止具４ｓｃを使用した。したがって、この貫通孔１１にチューブ状生地３ｓを一端３ｓｘ側を挿通させ、接着剤等により固定することができる。
【００３０】
このようにして得たチューブ状生地３ｓにおける開放状態の他端３ｓｘにから上述したロール材２ｍ（充填材２）を収容した挿入筒治具Ｍｍを一端側から挿入する（工程Ｓ９）。この状態を図４（ｄ）に示す。完全に挿入したなら、同図（ｄ）に示すように、押出治具Ｍｃを挿入筒治具Ｍｍの他端に挿入し、挿入筒治具Ｍｍから充填材２（ロール材２ｍ）を押し出すとともに、挿入筒治具Ｍｍのみをチューブ状生地３ｓから引き抜く（工程Ｓ１０）。これにより、チューブ状生地３ｓに充填材２を収容（充填）することができる。このように、充填材２を、２０〜４０重量パーセントの絹Ｓｉと６０〜８０重量パーセントの羊毛Ｗｏを混合した矩形のシート材２ｍとして製作した後、このシート材２ｍをロール状に巻いてロール材２ｐとし、このロール材２ｐをチューブ状生地３ｓの端３ｓｘから内部に挿入するようにすれば、充填材２の充填を容易かつ確実に行うことができ、生産性、更には生産能率の向上に寄与できる。
【００３１】
この後、チューブ状生地３ｓの他端３ｓｘ側を残りの封止具４ｓｃの貫通孔１１に挿通し、接着剤等により固定する。これにより、チューブ状生地３ｓの他端３ｓｘより所定長さだけ内側に位置する内側部位３ｓｉを封止することができる（工程Ｓ１１）。そして、必要な検査等を行えば、図１に示す襟巻本体Ｕｍを得ることができる。このように、首飾襟巻１の製造方法は、細長いチューブ状生地３ｓの端３ｓｘから充填材２を充填し、このチューブ状生地３ｓの両端３ｓｘ…より所定長さだけ内側に位置する内側部位３ｓｉ…を封止具４ｓｃ…により封止することにより、襟巻本体Ｕｍを製造するようにしたため、目的の首飾襟巻１を容易に製造できるとともに、量産性にも寄与できる。
【００３２】
次に、本実施形態に係る首飾襟巻１の使用方法（装身方法）について、図６を参照して説明する。
【００３３】
図６は首飾襟巻１の使用状態を示す。首飾襟巻１を使用するに際しては、襟巻本体Ｕｍに加え、襟巻本体Ｕｍの長手方向における二位置を繋止可能な繋止具Ｕｓを用意する。例示の繋止具Ｕｓは、襟巻本体Ｕｍの両端側を一緒に挿通させた際に容易に外れにくい径を選定した繋止リングＵｓｒである。
【００３４】
したがって、使用に際しては、図６に示すように、まず、使用者Ｈは、襟巻本体Ｕｍを首Ｈｎに後側から掛け、両端側をそれぞれ前側に垂らすとともに、両端側を一緒に繋止リングＵｓｒに挿通させる。そして、任意の位置に繋止リングＵｓｒを位置させればよい。この状態を図６に示す。このように本実施形態に係る首飾襟巻１は、きわめて容易に使用（装身）することができる。
【００３５】
よって、このような本実施形態に係る首飾襟巻１によれば、襟巻本体Ｕｍは、細長いチューブ状生地３ｓ（外装材３）の内部に充填材２を充填してなるため、長手方向における全体の径が同一の丸棒状となり、容易に折り畳むことができる。したがって、携帯時及び保管時にもかさ張らず、携帯性及び保管性、更には取扱性に優れる。また、襟巻本体Ｕｍは、外装材３の内部に、２０〜４０重量パーセントの絹Ｓｉと６０〜８０重量パーセントの羊毛Ｗｏを混合した充填材２を充填してなるため、防寒性や機能性に優れる。特に、絹Ｓｉの延びる性質と羊毛Ｗｏの縮む性質が組合わさることにより外装材３の内部では動き（片寄り）にくく、かつ適度な弾性及び弾性復帰性により装身性に優れるとともに、防寒性にも優れる。しかも、首飾襟巻１は、細長いチューブ状生地３ｓ（外装材３）の内部に充填材２を充填してなる襟巻本体Ｕｍと、この襟巻本体Ｕｍの長手方向における二位置を繋止可能な繋止具Ｕｓとを具備してなるため、首の周辺を飾るという、いわばネックレスとして機能を付加することができ、ファッション性をより高めることができる。
【００３６】
以上、好適実施形態について詳細に説明したが、本考案は、このような実施形態に限定されるものではなく、細部の構成，形状，素材，数量，数値等において、本考案の要旨を逸脱しない範囲で、任意に変更，追加，削除することができる。
【００３７】
例えば、充填材２には、木材のエキスＬｗを含む少なくとも消臭性及び／又は殺菌性を有する添加材Ｌ，及び／又は保温性を向上させる添加材Ｌ，を噴霧し又は混合する場合を示したが、その他、抗菌材，虫忌避材等の各種添加材Ｌを噴霧し又は混合することができる。また、チューブ状生地３ｓの両端３ｓｘ…より所定長さだけ内側に位置する内側部位３ｓｉ…を封止する場合を示したが、両端３ｓｘ…を封止し、封止した両端３ｓｘ…から別途の装飾部材等を装飾部５ｘ…として垂らしてもよい。さらに、所定の封止手段４ｓ…として球形の封止具４ｓｃ…を用いた場合を示したが、チューブ状生地３ｓを糸等を用いて直接縫ったり、チューブ状生地３ｓ自身を直接縛る等により封止してもよく、各種の封止手段４ｓ…を利用できる。
【産業上の利用可能性】
【００３８】
本考案に係る首飾襟巻は、細長いの袋材に充填材を充填することにより首の周りに装身可能な各種タイプの首飾襟巻として利用できる。
【符号の説明】
【００３９】
１：首飾襟巻，２：充填材，２ｍ：シート材，２ｐ：ロール材，３：外装材，３ｓ：チューブ状生地，３ｓｘ…：チューブ状生地の両端，３ｓｉ…：チューブ状生地の内側部位，４ｓ…：封止手段，Ｈｎ：首，Ｕｍ：襟巻本体，Ｕｓ：繋止具，Ｒ：繊維質素材，Ｓｉ：絹，Ｗｏ：羊毛，Ｌ：添加材，Ｌｗ：木材のエキス
【図１】
0003194712.tif 000003
【図２】
0003194712.tif 000004
【図３】
0003194712.tif 000005
【図４】
0003194712.tif 000006
【図５】
0003194712.tif 000007
【図６】
0003194712.tif 000008